【事件の表示】
　平成　２年特許願第１４５５６４号「歯科用ハンドピース」拒絶査定に対する審判事件〔平成　３年　１月３１日出願公開、特開平　３−　２３８５５、請求項の数（３６）〕について、次のとおり審決する。
【結　論】
　原査定を取り消す。
　本願の発明は、特許すべきものとする。
【理　由】
１．手続の経緯・本願発明
  本願は、平成２年６月５日（パリ条約による優先権主張、平成１年６月５日、アメリカ国）の出願であって、その請求項１乃至３６に係る発明は、平成１１年８月９日付け及び平成１２年７月１１日付け手続補正によって補正された明細書及び図面の記載からみて、その特許請求の範囲の請求項１乃至３６に記載された次のとおりのものである。
  
「【請求項１】　ヘッドと、該ヘッド内で回転するように配置され、上部端及び低部端を有する回転子管と、歯科用バーのシャンクを受容するように両端の開いた軸方向内孔を有する管状のばねチャックであって、前記回転子管に固定される低端部分及び内側に面する弧状のバー把持エッジを有し、少なくとも２つのばねジョーを提供する上端部分を有するばねチャックとを備え；前記ばねジョーは、通常、その把持エッジが歯科用バーのシャンクと係合してそれを保持するとともに、かかるバーとの係合を解放するために開放位置へと外方に撓むことができるように配置されており；前記ばねチャックの上方で前記回転子管の上端部に摺動的に配置され、上昇位置及び下げ位置間を移動するチャック解放手段であって、該チャック解放手段がその下げ位置に移動させられたとき、開放位置にばねジョーを押し離すように該ジョーと係合するくさび表面を有するチャック解放手段と、長いハンドル部分を有し、このハンドル部分を引き込められた水平位置及び展開した直立位置間で旋回できるように前記ヘッド上に装着された制御レバーであって、ハンドル部分が直立位置に旋回されたとき、前記チャック解放手段をその作用位置に駆動するようにチャック解放手段と係合可能なカム部分を含んだ制御レバーとを備え、前記ジョーは、無張力状態にあるとき、該ジョー間で受容可能な標準的バーのシャンクの直径よりも小さい間隔にあるバー把持エッジを有し、張力状態にあるとき、前記把持エッジにおける複数の接触点において前記シャンクと係合するところの歯科用ハンドピース。
【請求項２】　前記ジョーの弧状のバー把持エッジの各々は、前記チャックの内孔の曲率半径よりも小さい内側の曲率半径を有しているところの請求項１記載の歯科用ハンドピース。
【請求項３】　前記チャック解放手段が軸受け面を有し、前記制御レバーが直立位置に旋回されるとき、そのカム部分がこの軸受け面と係合可能な弧状のカム面を有しているところの請求項１記載の歯科用ハンドピース。
【請求項４】　前記制御レバーの横側の旋回軸が、前記チャック解放手段の軸受け面上方に配設されているところの請求項３記載の歯科用ハンドピース。
【請求項５】　前記制御レバーが、９０°以上の旋回可能範囲を有し、そのハンドル部分が、その引き込められた水平位置にあって前記ヘッドが垂直に配置された前記回転子管回転軸と配向したとき、概して水平に配置され、そのハンドル部分が、その完全な直立位置に旋回されるとき、垂直線を超えて旋回されるところの請求項４記載の歯科用ハンドピース。
【請求項６】　前記チャックのジョーは、前記制御レバーの前記ハンドル部分が完全な直立位置にあるとき、前記チャック解放手段に上向きの力を及ぼし、これにより、前記制御レバーのハンドル部分を引き込めるために前記力を無効にする力が与えられるまで、前記ハンドル部分をその完全な直立位置に維持しかつ前記ジョーを開放された位置に維持するところの請求項５記載の歯科用ハンドピース。
【請求項７】　前記制御レバーのカム部分が前記チャック解放手段の軸受け面に係合する弧状表面を有しているところの請求項６記載の歯科用ハンドピース。
【請求項８】　前記ヘッド内にばね手段が配置され、該ばね手段は、前記ハンドル部分が引き込められた水平位置にある場合には、このハンドル部分をその引き込められた水平位置に維持するようにばね力を及ぼすように、前記制御レバーのカム部分を上方に押圧しているところの請求項１，３および４のいずれか１項記載の歯科用ハンドピース。
【請求項９】　前記チャック解放手段は、歯科用バーのシャンクを受容する大きさの軸方向の内孔を有するところの請求項１記載の歯科用ハンドピース。
【請求項ｌ０】　前記チャック解放手段は上部区分及び下部区分からなり、前記上部区分は、前記制御レバーのカム部分に係合可能であり、前記下部区分は、前記チャックのジョーと係合可能なくさび表面を提供し、前記下部区分の内孔は、前記上部区分の内孔よりも直径が大きいところの請求項９記載の歯科用ハンドピース。
【請求項１１】　前記ばねチャックの上端部分及び低端部分は、同軸的な上部区分及び低部区分からなり、前記回転子管内で独立した相対回転が生じないように前記上部区分及び低部区分を接続するための手段を備え、前記低部区分は、前記ジョーがバー解放位置である外方に撓まされるとき前記上部区分の内孔よりも小さい直径の内孔を有するところの請求項１記載の歯科用ハンドピース。
【請求項１２】　ヘッドと、該ヘッド内で回転するように位置付けられ、上部端及び低部端を有した回転子管と、歯科用バーのシャンクを受容するように両端の開いた軸方向内孔を有する管状のばねチャックであって、前記回転子管に固定される低端部分及び内側に面する弧状のバー把持エッジを有し、少なくとも２つのばねジョーを提供する上端部分を有するチャックとを備え；前記ばねジョーは、通常、前記エッジが歯科用バーのシャンクと係合してそれを保持するとともに、かかるバーとの係合を解放するように開放位置へと外方に撓むことができるように配置されており；前記ばねチャックの上方で前記回転子管の上端部に摺動的に配置され、上昇位置及び下げ位置間を移動するチャック解放手段であって、その下げ位置に移動されたとき、前記ばねジョーをその開放位置に押し離すように該ジョーと係合するくさび表面を含んだ前記チャック解放手段と、長いハンドル部分を有し、かつ、引き込められた水平位置及び展開した直立位置間でハンドル部分を旋回させるように前記ヘッド上に装着された制御レバーであって、前記ハンドル部分が直立位置に旋回されるとき前記チャック解放手段をその下げ位置に駆動するように前記チャック解放手段と係合可能なカム部分を含む制御レバーとを備え、前記ジョーは、無張力状態にあるとき、該ジョー間で受容可能な標準的バーのシャンクの直径よりも小さい間隔を置いたバー把持エッジを有し、張力状態にあるとき、この把持エッジにおける円周方向に離間した複数の接触点においてシャンクと係合し、前記ばねチャックのジョウが、バーがチャックに受け入れられていないとき、くさび表面と係合して、それに対して内方に向かう力を及ぼすように予め設定されているところの歯科用ハンドピース。
【請求項１３】　前記ばねジョーの弧状のバー把持エッジの各々は、前記チャックの内孔の曲率半径よりも小さい内側の曲率半径を有するところの請求項１２記載の歯科用ハンドピース。
【請求項１４】　前記チャック解放手段は、前記制御レバーが旋回されるとき、そのカム部分に係合可能な軸受け表面を含んでいるところの請求項１２記載の歯科用ハンドピース。
【請求項１５】　前記制御レバーの横側の旋回軸は、前記チャック解放手段の前記軸受け表面の上方に置かれているところの請求項１２記載の歯科用ハンドピース。
【請求項１６】　前記制御レバーは９０°以上の旋回可能範囲を有し、前記ハンドル部分は、前記制御レバーが引き込められ、かつ前記ヘッドが垂直に配置された前記回転子管の回転軸に配向されたとき、概して水平に配置され、前記制御レバーがその完全な直立位置に旋回されたとき、垂直線を超えて旋回できるところの請求項１５記載の歯科用ハンドピース。
【請求項１７】　前記チャックのジョーは、前記制御レバーが上方に旋回されるとき前記チャック解放手段に上向きの力を及ぼし、これにより、前記制御レバーを引き込めるために前記力を無効にする力が与えられるまで、前記制御レバーを直立位置に維持しかつ前記ジョーをバー解放位置に維持するところの請求項１６記載の歯科用ハンドピース。
【請求項１８】　前記制御レバーのカム部分は、前記チャック解放手段の前記軸受け表面と係合可能な弧状の表面を有しているところの請求項１７記載の歯科用ハンドピース。
【請求項１９】　前記ヘッド内にばね手段が配置され、該ばね手段は、前記制御レバーをその引き込められた水平位置に押しやるように制御レバーのカム部分を上方に押圧するところの請求項１２、１３、１４または１６項のいずれか１項記載の歯科用ハンドピース。
【請求項２０】　前記チャック解放手段は、歯科用バーのシャンクを受容する大きさの軸方向内孔を有するところの請求項１１記載の歯科用ハンドピース。
【請求項２１】　前記チャック解放手段は、上部区分及び低部区分からなり、前記上部区分は、前記制御レバーのカム部分により係合可能であり、前記低部部分は、前記チャックのジョーと係合可能な前記くさび表面を提供し、この低部区分における内孔は、前記チャック解放手段の上部区分における内孔より直径が大きいところの請求項２０記載の歯科用ハンドピース。
【請求項２２】　前記チャックは、０．１５９から０．１６０ｃｍ（０．０６２６から０．０６３０インチ）の範囲内のシャンク直径を有した標準的バーを受容するように適合され、前記ジョーは、無張力状態で、約０．１２７から０．１４７ｃｍ（０．０５０から０．０５８インチ）の範囲内の距離で離されたバー把持エッジを有するところの請求項１２記載の歯科用ハンドピース。
【請求項２３】　前記ジョーは、無張力状態で、約０．１３２から０．１４２ｃｍ（０．０５２から０．０５６インチ）の範囲内の距離で離されたバー把持エッジを有するところの請求項２２記載の歯科用ハンドピース。
【請求項２４】　ヘッドと、該ヘッド上に回転可能に装着された円板形状のカバーと、前記ヘッド内で回転するように位置付けされ、上部端及び低部端を有する回転子管と、歯科用バーのシャンクを受容するように両端の開いた軸方向内孔を有する管状のばねチャックであって、前記回転子管に固定される低端部分及び内側に面する弧状のバー把持エッジを有し、一対のばねジョーを提供する上端部分を有するばねチャックとを備え；前記ばねジョーは、無張力状態にあるとき、該ジョー間で受容可能な標準のバーのシャンクの直径よりも小さい間隔にあるバー把持エッジを有し、張力状態にあるとき、これらの把持エッジにおける複数の接触点において歯科用バーのシャンクと係合し、それを保持するとともに、かかるバーの係合を解放するために外方に撓むことができるように配置されており；前記チャックの上方で前記回転子管の上端に摺動的に配置されて、上昇位置及び下げ位置間で移動するチャック解放手段であって、その下げ位置に移動されたとき前記ジョーの解放位置にそれらのジョーを押し離すように該ジョーと係合するくさび表面を含んだチャック解放手段と、引き込められた水平位置及び展開された直立位置間を横側の旋回軸の回りで旋回するように前記円板形状のカバーに装着された制御レバーであって、長いハンドル部分及び前記横側の旋回軸の両側に比較的短いカム部分を有する制御レバーとを備え；前記ハンドル部分は、前記制御レバーが引き込められたとき、前記カバーにより提供される半径方向に延びたくぼみ内の水平位置にあり、前記制御レバーが展開されたとき、前記くぼみから上方に旋回した直立位置にあり；前記カム部分は、前記制御レバーをその展開された位置に旋回するように前記ハンドル部分を上方に旋回するとき、前記チャック解放手段をその下げ位置に駆動するように前記チャック解放手段と係合可能であるところの歯科用ハンドピース。
【請求項２５】　前記カバーが、前記回転子管の回転軸と整列した回転軸の回りで３６０°回転できるように前記ヘッドにより保持されているところの請求項２４記載の歯科用ハンドピース。
【請求項２６】　前記ヘッド内にばね手段が配置され、該ばね手段は、前記制御レバーをその引き込められた位置に押しやるように前記制御レバーの前記カム部分を上方に押圧しているところの請求項２４または２５のいずれかに記載の歯科用ハンドピース。
【請求項２７】　前記ばね手段が、前記カバーに結合されてそれと一緒に回転するところの請求項２６記載の歯科用ハンドピース。
【請求項２８】　前記ジョーの弧状のバー把持エッジの各々は、前記チャックの前記内孔の曲率半径よりも小さい内側の曲率半径を有するところの請求項２４記載の歯科用ハンドピース。
【請求項２９】　前記チャック解放手段は、前記制御レバーがその展開された位置に旋回されたときそのカム部分に係合可能な軸受け面を含んでいるところの請求項２４記載の歯科用ハンドピース。
【請求項３０】　前記制御レバーの横側の旋回軸は、前記チャック解放手段の軸受け表面の上方に置かれているところの請求項２９記載の歯科用ハンドピース。
【請求項３１】　前記制御レバーは９０°以上の旋回可能範囲を有し、前記ハンドル部分は、前記制御レバーが引き込められかつ前記ヘッドが垂直に配置された前記回転子管の回転軸に配向されたとき、概して水平に配置され、前記制御レバーが完全に展開されたとき、垂直線を超えて旋回できるところの請求項３０記載の歯科用ハンドピース。
【請求項３２】　前記チャックのジョーは、前記制御レバーが展開されたとき、前記チャック解放手段に上向きの力を及ぼし、これにより、前記制御レバーを引き込めるために前記力を無効にする力が与えられるまで、前記制御レバーを展開された位置に維持し、かつ前記ジョーを前記バー解放位置に維持するところの請求項３１記載の歯科用ハンドピース。
【請求項３３】　前記チャック解放手段は、歯科用バーのシャンクを受容する大きさの軸方向内孔を有するところの請求項２４記載の歯科用ハンドピース。
【請求項３４】　前記チャック解放手段は、上部区分及び低部区分からなり、前記上部区分は、前記制御レバーのカム部分に係合可能であり、前記低部区分は、前記チャックのジョーと係合可能な前記くさび表面を提供し、この低部区分における内孔は、前記上部区分における内孔より直径において大きいところの請求項３３記載の歯科用ハンドピース。
【請求項３５】　前記制御レバーのハンドル部分は、前記カム部分の長さよりも少なくとも３倍の長さを有するところの請求項１、１２または２４記載の歯科用ハンドピース。
【請求項３６】　前記チャックの上端部分及び低端部分は、同軸的な上部区分及び低部区分からなり、前記回転子管内で独立した相対回転が生じないように前記上部区分と低部区分を接続する手段とを備え、前記低部区分は、前記ジョーがバー解放位置へと外方に撓むとき前記上部区分の内孔よりも小さい直径の内孔を有するところの請求項２４記載の歯科用ハンドピース。」
  
２．引用刊行物記載の発明
（１）これに対し、原査定の理由１において引用された特開昭６１−１２８９６２号公報（以下、「引用例１」という。）には、次の事項が記載されている。
（ア）「本発明の目的は離れた個別の工具を使用することなく、操作しうる歯科用ハンドピースのチャック機構を提供するものであり」（引用例１第２頁右下欄第５行乃至第７行）
（イ）「第１図において、図示したチャック２６とロータ管部材１４との関係位置においてばね３４は内側肩部２４（これは軸方向に不動状態にあるロータ管部材１４側にある）と保持環３６（これは軸方向に可動なチャック２６の側にある）との間で圧縮状態におかれて、締付け状態にあるチャック２６をその工具柄部２０に抗して上方向きに押圧する。第１図に示した状態から、圧縮ばね３４に逆らいロータ管部材１４に対し相対的にチャック２６を下向きに移動させることはチャックを開いて工具柄部２０を釈放することになる。」（引用例１第３頁左下欄第１２行乃至右下欄第３行）、
（ウ）「カムレバー３８にはカム表面４４が形成され、レバー３８を起立させたとき前記カム表面４４はチャック保持環３６の上部端面４６に衝合支持されこれを下向きに押し動かす。」（引用例１第３頁右下欄第２０行乃至第４頁右上欄第３行）、
（エ）「帽蓋６上にレバー収容部材４０をスナップ嵌合させることは該収容部材４０を帽蓋６上において回転可能な嵌合を可能にし、これにより使用者にとって最も都合の良い位置にカムレバー３８の向きを変位せしめることができる。」（引用例１第４頁左上欄第７行乃至第１１行）、
（オ）「高速回転するチャックの保持環１６と固定的なカムレバー３８との間の接触作用を防止するために、わずかな間隙がカムレバーを倒したとき両者間に設定される。」（引用例１第４頁左上欄第１７行乃至第２０行）、
（カ）「本発明に係るカムレバーとチャックとの組合せの利点はその機械的特徴の外に更に該チャックが開放状態にあるレバーの起立状態の位置のままに放置できることである。」（引用例１第４頁右上欄第３行乃至第７行）。
  
（２）同様に引用された特開昭６１−１６８３４６号公報（以下、「引用例２」という。）には、次の事項が記載されている。
（ア）「第１図を参照すると、歯科用ハンドピースのヘッドは全体が２で示され、キャップ６が螺合されるハウジング４を含んでいる。（中略）フランジ付き円筒状バールチューブ又は回転子チューブ１４がタービン回転子１０に固定されかつ軸受１２内部に回転自在に取り付けられている。バールチューブ１４はこれを貫通する軸方向の穴１６を含み、この穴１６の中で歯科用バール１８の軸部が摺動可能である。」（引用例２第２頁右下欄第６行乃至第２０行）
（イ）「バール１８が固定されている第１図の位置から、ボール担体２６をブッシュ３４と傾斜面３６に対して下方に移動させると（すなわちボール担体２６をスプリング２４に抗して押し下げると）ボール３２はバール軸部との係合から解放され、その結果バール軸部はバールチューブ１４から容易に移動することができるようになる。」（引用例２第３頁左下欄第３行乃至第９行）、
（ウ）「カムレバー３８が、レバーハウジング４０の孔３９内のピン３７によって、レバーハウジング４０に回動自在に取付けられている。レバーハウジング４０は、キャップ６の頂部穴８に嵌め合せ係合するため垂下弾性フランジ４２を含んでいる。ハウジング４０と垂下フランジ４２とは第７図の底面図に見られるように、キャップ穴の中に嵌め合せ係合するため弾性であるようにＣ形状になっている。カムレバー３８と、このレバー３８が上昇された時ボール担体２６の頂部端面４６上に当接しこれを下方に動かすカム面４４を含んでいる。カムレバー３８の幅とカム面（中略）は、カムの使用時カム面４４がボール担体の端面４６と接触するようになっている。レバー３８は、その不使用時にこのレバーを固定された閉鎖位置に保持するための磁石４８を含んでいる。」（引用例２第３頁左下欄第１３行乃至右下欄第１０行）。
  
（３）同様に引用された実願昭６２−１９３３８９号（実開昭６３−１０６４０８号公報）のマイクロフィルム（以下、「引用例３」という。）には、次の事項が記載されている。
（ア）「この考案は、円筒形の軸を有する特に歯科医用工具のための固定装置に関する。」（引用例３第７頁第９行乃至第１０行）、
（イ）「第５図に平面図を示された固定用スリーブ４は、収容すべき工具５の工具軸５ａの直径にほぼ等しい中央の内側孔１４を備えている。工具入口と反対側の上端では内側直径は工具の軸直径より僅かに小さい。この範囲には接触面が形成され、この接触面で固定用スリーブが或る程度締め付け力を伴なって工具軸に接触する。接触面１５と内側孔１４との摩耗をできるだけ少なく保つために、固定用スリーブは全体に又は部分的に化学蒸着法により被覆されている。固定用スリーブ４は（中略）スリット１６とくりぬき部１７とにより周方向に見てばね弾性を有する二つの舌状部４ａ，４ｂが形成され、これらの舌状部の接触面１５が固定位置において工具軸５ａに接触し、工具の取り外しのために半径方向外向きに押し開かれる。」（引用例３第１３頁第１６行乃至第１４頁第１６行）、
（ウ）「固定用スリーブ４は工具入口と反対側の端に１８°の（部分的な）内側円錐２０を有し、この内側円錐はプランジャ９の外側円錐２１に対応する（第２図参照）。外側円錐２１は３０°であって、固定用スリーブの内側円錐より鈍角である。前記のくりぬき部１８との組み合わせて両円錐２０，２１の係合位置では接触が実際上線接触（第５図における接触線２３）に限られ、その際非常に小さい緩め力しか必要でない。両円錐２０，２１は緩め位置において相互に係合し、これに反して工具挿入の際には（固定用スリーブの固定位置では）両円錐２０，２１は接触しない。工具軸５ａは固定位置において接触面１５を介して保持される。」（引用例３第１５頁第３行乃至第１６行）、
（エ）「組み立ては非常に簡単である。まずプランジャ９が工具側から軸３の中に軸方向に導入され、その後に固定用スリーブ４がねじ込まれ、その際ねじ込み深さが予負荷状態の程度を決定する。」（引用例３第１６頁第１４行乃至第１８行）。
  
（４）同様に引用された実願昭６０−１２６０１３号（実開昭６２−３３８１７号）のマイクロフィルム（以下、「引用例４」という。）には、次の事項が記載されている。
（ア）「本考案は、回転軸に歯具を着脱自在に取り付けるためのチャックに関するもので、このチャックは主として歯科治療器具の回転軸に取り付けるものである。」（引用例４第１頁第１５行乃至第１８行）
（イ）「５は内径が他の部分よりも小さい後部５ａ及びその近傍の管壁に溝穴６を中心線方向に切った筒状のこう止体で、このこう止体５はその前部５ｂが回転軸１の先端部１ａに圧入、固着されるが、その他の部分は図示の如く回転軸１の中に遊挿されている。」（引用例４第３頁第１４行乃至第１９行）
（ウ）「コイルバネ１２の伸張力に抗して押し込んだヘッドカバー９を開閉体７に当接させた上、ヘッドカバー９と共に開閉体７を図中下方に押圧すると、凸部７ｂが溝穴６の中に圧入されて、傾斜面７ａによってこう止体５の後部５ａが放射方向に押し開かれ、所謂チャックが開いた状態になるので、刃具１６（点線で図示）の挿脱ができるようになる。又、ヘッドカバー９に加えていた力を取り去ると、へッドカバー９は、コイルバネ１２の伸長力によって図中上方に押し上げられて、元の位置に復帰すると共に、こう止体５の後部５ａはその復元力によって元の位置に復帰して、所謂チャックが閉じた状態になる上、開閉体７は傾斜面７ａに加わるこう止体５の後部５ａの復元力によって図中上方に押し上げられて、元の位置に復帰するので、刃具１６が図示の如くこう止される。」（引用例４第４頁第１９行乃至第５頁１５行）。
  
３．対比・判断
（１）請求項１に係る発明（以下、「本件発明１」という。）について
（ア）上記引用例１に記載の発明（以下、「引用発明１」という。）と、本件発明１とを対比すると、引用例１に記載された「チャック」、「ロータ管部材」、「カムレバー」、「工具柄部」は、それぞれ本件発明１の「ばねチャック」、「回転子管」、「制御レバー」、「バーのシャンク」に相当するから、両者は、回転子管と、バーのシャンクを保持するばねチャックとを備えた歯科用ハンドピースにおいて、制御レバーを下向きに動かした際にチャックがバーのシャンクを開放するようにした点で一致し、（ａ）本件発明１では、チャックを回転子管に固定するとともに、チャックと別体のチャック開放手段を有するのに対し、引用発明１では、直接カムレバーがチャックに作用し、チャックと回転子管が相対移動するようにした点、（ｂ）本件発明１では、チャンクのジョーの張力状態にあるとき、複数の接触点においてシャンクと係合するのに対し、引用発明１では、この点が明確にされていない点、でそれぞれ相違する。
   
（イ）上記引用例２に記載の発明（以下、「引用発明２」という。）と、本件発明１とを対比すると、引用例２に記載された「バール」、「ボール担体」、「ブッシュ」、「カムレバー」、「回転子チューブ」は、それぞれ本件発明１の「バーのシャンク」、「チャック」、「チャック解放手段」、「制御レバー」、「回転子管」に相当するから、両者は、回転子管とバーのシャンクを保持するチャックとを備えた歯科用ハンドピースにおいて、制御レバーを下向きに動かした際にチャック解放手段がチャックと共働して、バーのシャンクを開放するようにした点で一致し、（ａ）チャックの具体的な構造において、本件発明１では、チャックにシャンクを把持するジョーを構成し、当該ジョーが、張力状態にあるとき、前記把持エッジにおける複数の接触点において前記シャンクと係合するようにしたのに対し、引用発明２では、ボール担体で保持されたボールによってシャンクを把持するようにした点、（ｂ）本件発明１では、チャックを回転子管に固定しているのに対し、引用発明２ではチャック解放手段を回転子管に固定させている点、でそれぞれ相違している。
  
（ウ）上記引用例３に記載の発明（以下、「引用発明３」という。）と、本件発明１とを対比すると、引用例３に記載された「歯科医用工具のための固定装置」、「固定用スリーブ」、「工具の工具軸」「２つの舌状部」「プランジャ」、「軸３」は、本件発明１の「歯科用ハンドピース」、「ばねチャック」、「バーのシャンク」、「ばねジョー」、「チャック解放手段」、「回転子管」に相当するから、両者は、回転子管と、バーのシャンクを保持するばねジョーを有するチャックと回転子管とを備え、ばねチャックの上方で回転子管の上端部に摺動的に配置され、上昇位置及び下げ位置間を移動するチャック解放手段であって、該チャック解放手段がその下げ位置に移動させられたとき、開放位置にばねジョーを押しはなすように該ジョーと係合するチャック解放手段とを備えた歯科用ハンドピースの点で一致し、（ａ）本件発明１では、チャックの張力状態にあるとき、把持エッジにおける複数の接触点において前記シャンクと係合するようにしたのに対し、引用発明３では、ばねジョーの接触面によってシャンクを把持するようにした点、（ｂ）本件発明１では、チャック解放手段を上下動させる制御レバーを有しているのに対し、引用発明３では、チャック解放手段をいわゆる押しボタン式によって上下動させるようにした点、で相違する。
  
（エ）上記引用例４に記載の発明（以下、「引用発明４」という。）と、本件発明１とを対比すると、引用例４に記載された「こう止体」、「開閉体」、「回転軸」、「歯具」は、それぞれ本件発明の「ばねチャック」、「チャック解放手段」、「回転子管」、「バーのシャンク」に相当するから、両者は、回転子管と、バーのシャンクを保持するチャックと回転子管とを備え、ばねチャックの上方で回転子管の上端部に摺動的に配置され、上昇位置及び下げ位置間を移動するチャック解放手段であって、該チャック解放手段がその下げ位置に移動させられたとき、開放位置にチャックを押しはなすように係合するチャック解放手段とを備えた歯科用ハンドピースの点で一致し、（ａ）本件発明１では、チャックの張力状態にあるとき、把持エッジにおける複数の接触点において前記シャンクと係合するようにしたのに対し、引用発明３では、チャックとシャンクの係合の状態が明確ではない点、（ｂ）本件発明１では、チャック解放手段を上下動させる制御レバーを有しているのに対し、引用発明４では、チャック解放手段をいわゆる押しボタン式によって上下動させるようにした点、で相違する。
  
  以上によれば、引用発明１乃至４のいずれにも、本件発明１の、「（ジョーが）張力状態にあるとき、前記把持エッジにおける複数の接触点において前記シャンクと係合する」構成が記載されておらず、しかもこの構成によって、「半径方向に向けられた把持力が、標準のバーのシャンクに対するジョーのエッジにおいて点接触により与えられるとき、切削中の回転すべりを阻止しもしくはそれに抗する上で非常に効果的であることが分かった。」（【００１５】欄）との格別の効果を奏するものであって、この効果も上記引用発明１乃至４から当業者が予想しうるものとは認めることができない。
  
  したがって、本件発明１は、引用例１乃至４に記載された発明に基づいて当業者が容易に発明することができたものとは認めることができない。
  
  なお、請求項２乃至１１に係る発明は、請求項１を引用して技術的に限定した発明と認められるところ、本件発明１についての判断は上記のとおりであるから、これらの発明は、引用例１乃至４に記載された発明に基づいて当業者が容易に発明することができたものとは認めることができない。
  
（２）請求項１２に係る発明（以下、「本件発明２」という。）について
  本件発明２は、本件発明１の構成要件に、「前記ばねチャックのジョウが、バーがチャックに受け入れられていないとき、くさび表面と係合して、それに対して内方に向かう力を及ぼすように予め設定されている」要件を新たに付加していると認められる。
  したがって、上記３．（１）の判断のとおり、本件発明２は、引用例１乃至４に記載された発明に基づいて当業者が容易に発明することができたものとは認めることができない。
  
  なお、請求項１３乃至２３に係る発明は、請求項１２を引用して技術的に限定した発明と認められるところ、本件発明２についての判断は上記のとおりであるから、これらの発明は、引用例１乃至４に記載された発明に基づいて当業者が容易に発明することができたものとは認めることができない。
  
（３）請求項２４に係る請求項（以下、「本件発明３」という。）について
  本件発明３は、本件発明１の構成要件に、「ヘッド上に回転可能に装着された円板形状のカバー」を備えるという要件を新たに付加していると認められる。
  したがって、上記３．（１）の判断のとおり、本件発明３は、引用例１乃至４に記載された発明に基づいて当業者が容易に発明することができたものとは認めることができない。
  
  なお、請求項２５乃至３６に係る発明は、請求項２４を引用して技術的に限定した発明と認められるところ、本件発明３についての判断は上記のとおりであるから、これらの発明は、引用例１乃至４に記載された発明に基づいて当業者が容易に発明することができたものとは認めることができない。
  
４．以上のとおりであるので、請求項１乃至３６に係る本願発明は、上記刊行物に記載の発明から当業者が容易に発明することができたものであるとすることはできない。
  
５．なお、原査定の理由２において、「請求項１２には「ハンドル部分が下げ位置に旋回されたとき前記チャック開放手段をその下げ位置に駆動する」と記載されており、請求項１２に係る記載は依然として不明瞭である」としているが、平成１２年７月１１日付け手続補正書によって、上記記載は、「前記ハンドル部分が直立位置に旋回されるとき前記チャック開放手段をその下げ位置に駆動する」と補正されており明瞭となっている。したがって、原査定の理由２は維持できない。
  
  以上、本願については、原査定の拒絶理由を検討してもその理由によって拒絶すべきものとすることはできない。
  また、他に本願を拒絶すべき理由を発見しない。
  
  よって、結論のとおり審決する。